(57)【特許請求の範囲】
【請求項１】
貯蔵室と、前記貯蔵室の上面に配設する冷却ユニットからなり、前記冷却ユニットは断熱体内部に冷却器、冷却器用送風機、冷気吸込口、冷気吹出口を有する冷却室と、圧縮機、放熱器、放熱器用送風機を有する機械室から構成するとともに、蒸発皿、蒸発シートから構成された蒸発ユニットを前記冷却ユニットに対して分離し前記機械室に隣接して接続可能とし、前記蒸発ユニット内に前記冷却室からのドレン水を導き、かつ機械室からの排熱空気を導くよう構成した冷蔵庫。
【発明の詳細な説明】
【０００１】
【発明の属する技術分野】
本発明は、食品などの冷蔵あるいは冷凍用に用いる冷蔵庫に関するものである。
【０００２】
【従来の技術】
従来の冷蔵庫としては、実開昭６２−８０１８５号公報に示されているものがある。
【０００３】
以下、図面を参考にしながら上記従来の冷蔵庫を説明する。図６は、従来の冷蔵庫の垂直断面図である。図６において、１は貯蔵室、２は貯蔵室１の上面に配設された冷却ユニットである。冷却ユニット２は断熱体５内部に冷却器６、冷却器用送風機７、冷気吸込口８、冷気吹出口９を有する冷却室３と、圧縮機１０、放熱器１１、放熱器用送風機１２を有する機械室４（本例では開放型）から構成される。冷却ユニット２の冷却器６下部にはドレンパン１４が配設され、さらにドレンパン１４下部には庫内ダクト１５を設け、冷却ユニット２の冷気吸込口８と、冷気吹出口９を区画している。また、貯蔵室１にも、冷却ユニット２の冷気吸込口８、冷気吹出口９と対応する貫通穴１３を貯蔵室１の上面に１箇所設けている。
【０００４】
以上のように構成された冷蔵庫について、以下その動作について説明する。貯蔵室１は、冷却ユニット２の冷却器６により冷却された冷気を冷気吹出口９から導入することで冷却される。その際、ドレンパン１４下部の庫内ダクト１５により「冷気吹出口９から流入した冷気が冷気吸込口８に戻り、貯蔵室１に冷気が流れ込まず貯蔵室１が冷えない。」というショートサーキット現象を防いでいる。
【０００５】
また、冷却器６により吸熱された熱は、圧縮機１０により搬送された冷媒を通じて機械室４に配設された放熱器１１によって貯蔵室１の外部へ放熱する。放熱器１１は、放熱器用送風機１２による強制対流により放熱の効率をよくしている。ここで、冷蔵庫を壁際や背丈の高い家具などの横に設置する場合は、風路抵抗の増大による放熱器１１への強制対流の減少を防止するために壁や家具との隙間を確保する必要があった。また、放熱器１１から流出する空気が使用者にあたると不快感を与えるため、使用者が冷蔵庫操作時に立つ貯蔵室１の扉側前方から同後方へ空気が流れるようにするのが一般的であった。このような風路設計から冷却室３と機械室４は貯蔵室扉側からみて左右方向に両室が配設される場合が多い。
【０００６】
【発明が解決しようとする課題】
一般に冷蔵庫は、設置スペースを小さくすること、庫内の収納スペースを大きくすることが要求されている。しかしながら、上記従来の構成は、貯蔵室内にショートサーキット現象を回避するために庫内ダクトを設けており、収納スペースが小さくなるという欠点があった。
【０００７】
本発明は従来の課題を解決するもので、冷却ユニット側でショートサーキットを回避することにより、貯蔵室内の庫内ダクトを不要にし、収納スペースを増大させることができる冷蔵庫を提供することを目的とする。
【００１１】
【課題を解決するための手段】
本発明の請求項１に記載の発明は、貯蔵室と、前記貯蔵室の上面に配設する冷却ユニットからなり、前記冷却ユニットは断熱体内部に冷却器、冷却器用送風機、冷気吸込口、冷気吹出口を有する冷却室と、圧縮機、放熱器、放熱器用送風機を有する機械室から構成するとともに、蒸発皿、蒸発シートから構成された蒸発ユニットを前記冷却ユニットに対して分離し前記機械室に隣接して接続可能とし、前記蒸発ユニット内に前記冷却室からのドレン水を導き、かつ機械室からの排熱空気を導くよう構成したものであり、ドレン排水処理のできない設置環境においてもドレン水を強制的に蒸発促進させるという作用を有する。
【００１２】
【発明の実施の形態】
以下、本発明による冷蔵庫の実施の形態について、図面を参照しながら説明する。なお、従来と同一構成については、同一符号を付して詳細な説明を省略する。
【００１３】
（実施の形態１）
図１は、本発明の実施の形態１による冷蔵庫の斜視図である。図２は、同実施の形態の冷蔵庫の冷却ユニットの平面断面図である。図３は、同実施の形態の冷蔵庫の断面図である。図４は、同実施の形態の冷蔵庫の冷気吸込口と冷気吹出口との間隔による庫内温度バラツキの特性図である
図１から図４において、２０は冷蔵庫、２１は貯蔵室、２２は貯蔵室２１の上面に配設する冷却ユニット、２３は冷却ユニット２２の冷却室のカバーを兼ねた機械室カバー、２４は放熱器と熱交換するための空気吸込用穴、２５は排熱用の空気吹出用穴である。
【００１４】
２６は機械室、２７は冷却室、２８は断熱体、２９は冷却器、３０は冷却器用送風機、３１は冷気吸込口、３２は冷気吹出口、３３は圧縮機、３４は放熱器、３５は放熱用送風機、３７は貯蔵室２１の扉である。また、機械室２６は、貯蔵室２１の扉３７の後方に配設し、冷却室２７は扉３７の前方に配設している。また、機械室２６には、圧縮機３３、放熱器３４、放熱器用送風機３５を有している。
【００１５】
冷却室２７は、発泡性材料の断熱体２８内部に冷却器２９、冷却器用送風機３０、冷気吸込口３１、冷気吹出口３２を有している。また、貯蔵室２１の上面には、冷蔵庫２０長手方向の両端に位置している冷気吸込口３１および冷気吹出口３２の双方に長手方向で対応する、ひとつの長穴形状の貫通穴３６を有している。
【００１６】
また、冷気吸込口３１、冷気吹出口３２は冷却ユニット２２の長手方向の両端に位置し、かつその間隔が２５０ｍｍ以上有している。
【００１７】
また、３８は、冷気吸込口３１、冷気吹出口３２付近の風を貯蔵室２１の内壁面方向に指向性を持たせる傾斜を有した傾斜面である。
【００１８】
以上のように構成された本発明の冷蔵庫について、以下その動作を説明する。まず、貯蔵室２１は、冷却ユニット２２の冷却器２９により冷却された冷気を冷気吹出口３２から導入することで冷却される。その際、冷気吸込口３１、冷気吹出口３２が冷蔵庫長手方向の両端に位置しているため、ショートサーキットが起こりにくい。このため、庫内ダクトが不要になることから庫内収納スペースを増大させることができる。また、貯蔵室２１上面に設けられた貫通穴３６はひとつの穴であるため、冷気吸込口３１および冷気吹出口３２と貫通穴との嵌合自由度を高めることができる。更には、貯蔵室２１天面の加工工数が削減できる。
【００１９】
また、庫内温度バラツキを、図３の庫内温度測定点５０の８点のなかでの「最大値−最小値」とすると、図４に示すように、冷気吸込口３１と冷気吹出口３２との間隔が２５０ｍｍ以上確保されている場合、冷気吹出口３２から冷気吸込口３１へのショートサーキット成分が少なくなり、貯蔵室２１の温度分布が良好な状態であることを得ている。
【００２０】
また、冷却ユニット２２の冷気吸込口３１、冷気吹出口３２の開口部に傾斜面３８を設けたことにより、冷気吹出口３２から導入される冷風は、冷気吸込口３１とは反対側の貯蔵室２１の内壁面に方向性をもたせることができ、ショートサーキットの防止効果をより高めることができる。
【００２１】
以上のように、本実施の形態の冷蔵庫は、貯蔵室２１と、貯蔵室２１の上面に配設する冷却ユニット２２からなり、冷却ユニット２２は断熱体２８内部に冷却器２９、冷却器用送風機３０、冷気吸込口３１、冷気吹出口３２を有する冷却室２７と、圧縮機３３、放熱器３４、放熱器用送風機３５を有する機械室２６から構成され、貯蔵室２１は上面に前記冷却ユニット２２の冷気吸込口３１、冷気吹出口３２の双方に対応するひとつの貫通穴３６を設け、また、冷気吸込口３１、冷気吹出口３２が冷却ユニット２２長手方向の両端に位置し、かつその間隔が２５０ｍｍ以上有し、また、冷気吸込口３１、冷気吹出口３２の開口部に傾斜を設けたことにより、冷気のショートサーキットが防げ、従来収納スペースを減少せしめている庫内ダクトを排除することができる。また、貯蔵室２１上面に設けられた貫通穴３６はひとつの穴であるため、冷気吸込口３１および冷気吹出口３２と貫通穴との嵌合自由度を高めることができる。
【００２２】
（実施の形態２）
図５は、本発明の実施の形態２による冷蔵庫の冷却ユニット部の平面断面図である。図５において、４０は蒸発ユニットであり、蒸発皿４１、蒸発シート４２を備えている。蒸発ユニット４０は冷却ユニットの機械室２６の排熱用の空気吹出用穴２５側に隣接して接続され、冷却室２７の除霜水を導くドレン４３を導入し、空気吹出用穴２５からの排熱を導入するよう構成されている。
【００２３】
以上のような構成によって、ドレン工事ができない設置環境においても、蒸発ユニット４０を後付けすることにより、冷却室２７から排出されたドレン水はドレン４３を介して蒸発皿４１に流入、蒸発シート４２に浸漬し、機械室２６で放熱される高温の空気が空気吹出し口２５から蒸発ユニット４０内に導入され、ドレン水を蒸発促進させることができる。
【００２７】
【発明の効果】
以上説明したように、請求項１に記載の発明は、貯蔵室の上面に配設した冷却ユニットを断熱体内部に冷却器、冷却器用送風機、冷気吸込口、冷気吹出口を有する冷却室と、圧縮機、放熱器、放熱器用送風機を有する機械室から構成し、蒸発皿、蒸発シートから構成された蒸発ユニットを前記冷却ユニットに対して分離し機械室に隣接して接続可能とし、蒸発ユニット内に冷却室からのドレン水を導き、かつ機械室からの排熱空気を導くよう構成したので、ドレン排水理のできない設置環境においてもドレン水を強制的に蒸発促進させることができる。
【図面の簡単な説明】
【図１】本発明による冷蔵庫の実施の形態１の斜視図
【図２】同実施の形態の冷蔵庫の冷却ユニットの平面断面図
【図３】同実施の形態の冷蔵庫の縦断面図
【図４】同実施の形態の冷蔵庫の冷気吸込口と冷気吹出口との間隔による庫内温度バラツキの特性図
【図５】本発明による冷蔵庫の実施の形態２の冷却ユニット部の平面断面図
【図６】従来の冷蔵庫の縦断面図
【符号の説明】
２０  冷蔵庫
２１  貯蔵室
２２  冷却ユニット
２５  空気吹出用穴
２６  機械室
２７  冷却室
２８  断熱体
２９  冷却器
３０  冷却器用送風機
３１  冷気吸込口
３２  冷気吹出口
３３  圧縮機
３４  放熱器
３５  放熱用送風機
３６  貫通穴
３８  傾斜面
４０  蒸発ユニット
４１  蒸発皿
４２  蒸発シート
４３  ドレン
【図１】
0003637300.tif 000002
【図２】
0003637300.tif 000003
【図３】
0003637300.tif 000004
【図４】
0003637300.tif 000005
【図５】
0003637300.tif 000006
【図６】
0003637300.tif 000007